(57)【要約】【課題】一のカバーロック機構により複数のカバーを筐体に対して閉塞させた状態を保持可能な電子機器のカバーロック機構及びこれを備えた電子機器を提供する。【解決手段】電子機器のカバーロック機構２は、筐体１０に複数のカバー３０が着脱自在に装着された電子機器１を対象として、前記カバー３０を装着した状態を保持する電子機器のカバーロック機構２であって、前記複数のカバー３０にそれぞれ設けられた複数の被係合部５０と、前記複数の被係合部５０のそれぞれと係合可能な複数の係合部８０を有するロック部材７０とを備えることを特徴とする。【選択図】図４
2013219486.tif 000002
【特許請求の範囲】
【請求項１】
筐体に複数のカバーが着脱自在に装着された電子機器を対象として、前記カバーを装着した状態を保持する電子機器のカバーロック機構であって、
前記複数のカバーにそれぞれ設けられた複数の被係合部と、
前記複数の被係合部のそれぞれと係合可能な複数の係合部を有するロック部材とを備えることを特徴とする電子機器のカバーロック機構。
【請求項２】
請求項１に記載の電子機器のカバーロック機構において、
前記ロック部材は、前記各係合部と対応する前記各被係合部との係合した係合位置から係合が解除された解除位置まで回動可能に前記筐体に支持され、
前記被係合部は、凹部で構成され、
前記係合部は、前記凹部と係合可能な凸部で構成されていることを特徴とする電子機器のカバーロック機構。
【請求項３】
請求項２に記載の電子機器のカバーロック機構において、
前記ロック部材は、前記係合位置から前記解除位置までの回動を操作する操作部を有し、
前記係合部は、該操作部の操作に連動して前記係合位置から前記解除位置まで回動することを特徴とする電子機器のカバーロック機構。
【請求項４】
請求項１から請求項３のいずれか一項に記載の電子機器のカバーロック機構を備えることを特徴とする電子機器。
【発明の詳細な説明】
【技術分野】
【０００１】
本発明は、電子機器のカバーロック機構及びこれを備えた電子機器に関するものである。
【背景技術】
【０００２】
一般に、携帯電話等の電子機器においては、内部に配置されたバッテリーや基板等が設けられた筐体と、該筐体に着脱可能に設けられたカバーとを備える構成が広く知られている。
【０００３】
ここで、外部からの衝撃等によりカバーが開いて内部に水が浸入しないように、該カバーを筐体に対して強固に固定する必要がある。
そこで、筐体に取り付けられたロックレバーの突出部を、リアカバー（カバー）の凹部に嵌合させることで、リアカバーを筐体に対して強固に固定するロック機構の技術が提案されている（下記特許文献１参照）。
【先行技術文献】
【特許文献】
【０００４】
【特許文献１】特開２００５−１２９７７０号公報
【発明の概要】
【発明が解決しようとする課題】
【０００５】
ここで、筐体にはバッテリーや外部接続用コネクター等複数の部材が設けられており、各々の部材に対応した複数のカバーで構成されている。そして、防水性能を確保するために、複数のカバーの各々にロック機構を設けることが望まれている。
【０００６】
そこで、上記の特許文献１に記載のロック機構を、各々のカバーに設けることが考えられる。しかし、この場合カバーの数に対応したロックレバーが必要となり、昨今の電子機器の薄型化及び小型化という観点上好ましくないという問題点がある。
【０００７】
本発明は、上記事情に鑑みてなされたものであり、一のカバーロック機構により複数のカバーを筐体に対して閉塞させた状態を保持可能な電子機器のカバーロック機構及びこれを備えた電子機器を提供する。
【課題を解決するための手段】
【０００８】
上記目的を達成するために、本発明は以下の手段を採用している。
すなわち、本発明に係る電子機器のカバーロック機構は、筐体に複数のカバーが着脱自在に装着された電子機器を対象として、前記カバーを装着した状態を保持する電子機器のカバーロック機構であって、前記複数のカバーにそれぞれ設けられた複数の被係合部と、前記複数の被係合部のそれぞれと係合可能な複数の係合部を有するロック部材とを備えることを特徴とする。
【０００９】
このような電子機器のカバーロック機構では、複数のカバーを筐体に装着した状態において、カバーに設けられた複数の被係合部と、ロック部材の複数の係合部とを係合させることができる。よって、一のカバーロック機構により、複数のカバーを筐体に対して閉塞させた状態を保持することができる。
【発明の効果】
【００１０】
本発明に係る電子機器のカバーロック機構及びこれを備えた電子機器によれば、カバーに設けられた複数の被係合部と、ロック部材の複数の係合部とを係合させることができるため、一のカバーロック機構により複数のカバーを筐体に対して閉塞させた状態を保持することができる。
【図面の簡単な説明】
【００１１】
【図１】本発明の一実施形態に係る電子機器であって、ロック部材が解除位置にある場合を裏側から見た斜視図である。
【図２】本発明の一実施形態に係る電子機器であって、ロック部材が係合位置にある場合を裏側から見た斜視図である。
【図３】本発明の一実施形態に係る電子機器であって、ロック部材が係合位置にある場合を裏側から背面図である。
【図４】（ａ）図３におけるＸ−Ｘ断面図、（ｂ）図４（ａ）の部分拡大図である。
【図５】本発明の一実施形態に係る電子機器であって、ロック部材が係合位置にある場合を一部分解した背面図である。
【図６】本発明の一実施形態に係る電子機器を構成するロック部材の正面図である。
【発明を実施するための形態】
【００１２】
以下、本発明の一実施形態に係る電子機器の一例である携帯電話について、図面を参照して説明する。
図１及び図２に示すように、携帯電話１は、筐体１０と、該筐体１０に対して着脱自在に設けられた複数のカバー３０，４０と、該複数のカバー３０，４０を装着した状態を保持させる電子機器のカバーロック機構２とを備えている。
ここで、便宜上、図１に示す側を携帯電話１の裏側とし、紙面奥側を携帯電話１の表側とし、紙面上下方向を携帯電話１の上下方向とする。
【００１３】
（筐体）
図３に示すように、筐体１０は、通信機器、受話部、送話部、表示部、バッテリー、（いずれも不図示。以下同じ。）や把持部１１等を有して構成されている。
【００１４】
また、筐体１０には、カバー３０，４０との接触部分に、該カバー３０，４０との係合を可能とする複数のカバー用被係合部１２・・・が設けられている。カバー用被係合部１２・・・は、一例として例えば図４に符号１２で示されている。
【００１５】
また、筐体１０には、後述する電子機器のカバーロック機構２を構成するロック部材７０を支持する支持部２０が設けられている。
【００１６】
図４（ａ）に示すように、支持部２０は、断面視してロック部材７０を支持する支持本体２１と、該支持本体２１に設けられた凹形状の凹溝２２とで構成されている。そして、支持部２０には、支持本体２１から裏側に向かって突出する一対の第一突出部２３と、凹溝２２の底部から裏側に向かって突出する第二突出部２４とが設けられている。
【００１７】
（カバー）
図１に示すように、カバー３０，４０は、本実施形態では、携帯電話１の裏側に配設されたリアカバー３０と、携帯電話１の側方に配設されたサイドカバー４０とで構成されている。
【００１８】
図３に示すように、リアカバー３０は、例えば筐体１０に設けられたバッテリーを閉塞している。また、図４（ａ）に示すように、リアカバー３０の下部には、筐体１０に設けられたカバー用被係合部１２との係合が可能なカバー用係合部３１が設けられている。
【００１９】
このカバー用係合部３１がカバー用被係合部１２と係合及び係合が解除することで、リアカバー３０は筐体１０に対して着脱自在とされている。
【００２０】
また、詳細については後述するが、図４（ｂ）に示すように、リアカバー３０の上部には、断面視において下方に向かって形成されたリア凹部５０（被係合部）が形成されている。
【００２１】
図１及び図２に示すように、サイドカバー４０は、例えば筐体１０の側面に設けられた外部接続用のコネクター（不図示。以下同じ。）を閉塞している。
このサイドカバー４０にも、上記に示したリアカバー３０と同様の構成（不図示。以下同じ。）で着脱自在とされている。
【００２２】
また、詳細については後述するが、図５に示すように、サイドカバー４０には、断面視において筐体１０の内部に向かって形成されたサイド凹部６０（被係合部）が形成されている。
【００２３】
（電子機器のカバーロック機構）
図４から図６に示すように、電子機器のカバーロック機構２は、リアカバー３０に設けられたリア凹部５０及びサイドカバー４０に設けられたサイド凹部６０と、該リア凹部５０及びサイド凹部６０と係合可能なロック部材７０とを有している。
【００２４】
図４（ｂ）に示すように、リア凹部５０は、リアカバー３０の裏側を構成する第一リア側壁部５１と、該第一リア側壁部５１から表側に向かって延出し該リア凹部５０の底部を構成するリア底壁部５２と、該リア底壁部５２から上方に向かって延出するとともに第一リア側壁部５１と対向する第二リア側壁部５３とを有している。
【００２５】
図５に示すように、サイド凹部６０は、筐体１０の側方に配設される第一サイド側壁部６１と、該第一サイド側壁部６１から内方に向かって延出し該サイド凹部６０の底部を構成するサイド底壁部６２と、該サイド底壁部６２から上方に向かって延出するとともに第一サイド側壁部６１と対向する第二サイド側壁部６３とを有している。
【００２６】
図６に示すように、ロック部材７０は、筐体１０に支持されるロック基部７１と、該ロック基部７１から延出するリア凸部（係合部）８０及びサイド凸部（係合部）９０と、ロック基部７１に設けられた操作部９９とを有している。
【００２７】
ロック基部７１は、筐体１０に対して着脱可能に構成され、ロック部材７０を筐体１０に対して装着した状態で該筐体１０に支持されている。
【００２８】
具体的には、図３及び図４（ａ）に示すように、ロック基部７１は、平面視略円形状であって裏側が断面視湾曲に形成された基部本体７２と、該基部本体７２から表側に向かって突出する一対のロック凸部７３とで構成されている。そして、基部本体７２には表側に向かって設けられた一対の第一ロック凹部７４が設けられ、一対のロック凸部７３の間が第二ロック凹部７５として構成されている。
【００２９】
この第一ロック凹部７４に筐体１０の支持部２０の第一突出部２３が嵌合し、第二ロック凹部７５に支持部２０の第二突出部２４が嵌合することで、ロック部材７０は筐体１０に支持されている。
【００３０】
リア凸部８０は、図６に示すように基部本体７２から突出する凸部であり、図４（ｂ）に示すようにリア凹部５０と係合可能とされている。
【００３１】
図６に示すように、サイド凸部９０は、基部本体７２から延出する腕部９１と、該腕部９１の先端から折曲した折曲部９２とを有している。図５（ｂ）に示すように、この折曲部９２がサイド凹部６０と係合可能とされている。
【００３２】
操作部９９は、基部本体７２から立設する一対の壁部で構成されている。該一対の壁部間に利用者が指を入れて該ロック部材７０を操作すれば、ロック部材７０が筐体１０に対して回動可能とされている。
【００３３】
次に、ロック部材７０が筐体１０、リアカバー３０及びサイドカバー４０の間で回動する動作について説明する。
【００３４】
まず、図２及び図３に示すようにロック部材７０の操作部９９が上下方向を向く状態においては、ロック部材７０のリア凸部８０とリアカバー３０のリア凹部５０とが係合して（図４参照）、ロック部材７０の折曲部９２とサイドカバー４０のサイド凹部６０とが係合している（図５参照）。なお、この位置が係合位置とされている。
【００３５】
この状態から、図１に示すようにロック部材７０の操作部９９を操作して、平面視反時計回りに回動し、該操作部９９が斜め方向に向く状態まで回動する。すると、操作部９９の回動と連動してリア凸部８０及びサイド凸部９０が回動し、ロック部材７０のリア凸部８０とリアカバー３０のリア凹部５０との係合が解除されるとともに、ロック部材７０の折曲部９２とサイドカバー４０のサイド凹部６０との係合が解除される。なお、この位置が解除位置とされている。
【００３６】
ここで、リア凸部８０とリア凹部５０との係合が解除される構成の一例を示す。例えば、図３において破線で示すように、リア凹部５０が設けられている部分は、平面視において５０Ａから５０Ｂまでの所定の部分のみである。そして、ロック部材７０を回動させて、リア凸部８０の端部８０Ａを、平面視５０Ａから５０Ｂまでの所定部分の以外に位置させることで、リア凸部８０とリア凹部５０との係合が解除される。
【００３７】
一方、図５に示すように、サイド凸部９０とサイド凹部６０との係合部分においては、ロック部材７０を反時計回りに回動させることで、サイド凸部９０はサイド凹部６０から離れる方向、すなわち上方に移動するため、当該係合が解除される。
【００３８】
このように構成された携帯電話１では、リアカバー３０とサイドカバー４０をそれぞれ筐体１０に装着した状態において、リアカバー３０に設けられたリア凹部５０、サイドカバー４０に設けられたサイド凹部６０と、それぞれロック部材７０に設けられたリア凸部８０、サイド凸部９０とを係合させることができる。よって、一のロック部材７０により、リアカバー３０及びサイドカバー４０を筐体１０に対して閉塞させた状態を保持することができる。
【００３９】
また、リアカバー３０及びサイドカバー４０は、筐体１０に装着されるとともに、該筐体１０に支持されたロック部材７０と係合されている。よって、リアカバー３０及びサイドカバー４０は筐体１０に強固に取り付けられているため、外部からの衝撃により該リアカバー３０及びサイドカバー４０が開いてしまう虞がない。さらには、該リアカバー３０及びサイドカバー４０が開いてしまうことに起因する筐体１０内部への水の浸入を防止することができるため、防水性能を高めることができる。
【００４０】
また、リアカバー３０、サイドカバー４０のそれぞれに別々のロック部材を設ける場合と比較して、部品点数を削減することができるためコストを抑えることができる。
【００４１】
また、別々のロック部材を設ける場合には、例えばロック基部７１、操作部９９は各々のロック部材に設けなくてはならないが、一のロック部材７０においてはロック基部７１及び操作部９９を一で構成することができる。よって、ロック部材全体をコンパクトな構成とすることができるとともに、携帯電話１自体をコンパクトな形状とすることができる。
【００４２】
なお、上述した実施の形態において示した動作手順、あるいは各構成部材の諸形状や組み合わせ等は一例であって、本発明の主旨から逸脱しない範囲において設計要求等に基づき種々変更可能である。
【００４３】
例えば、上記においては、カバーは、一のリアカバー３０と一のサイドカバー４０とで構成されているが、サイドカバー４０を複数備えていてもよい。具体的には、サイドカバー４０と対向する側面にもサイドカバー４０が設けられている場合でも、ロック基部７１から両側に腕部９１が延出させて、その先端に折曲部９２を設ける構成とすることで、一のロック部材７０で、一のリアカバー３０と二のサイドカバー４０との係合が可能となる。
【００４４】
上記に示す以外にも、ロック部材７０を、複数のカバーの配置に応じた形状とすることで、一のロック部材７０により、複数のカバーを筐体１０に対して閉塞させた状態を保持することができる。
【００４５】
また、本実施形態においては、ロック部材７０を回動させることで係合位置から解除位置までの移動を可能としているが、スライド移動させることで係合位置から解除位置までの移動を可能とする構成であってもよい。
【００４６】
また、本実施形態においては、電子機器の一例として携帯電話１を例に挙げて説明したが、これに限られず、デジタルカメラ、デジタルビデオカメラ、ＰＤＡ、ノート型パソコン等の電子機器にも適用可能である。
【符号の説明】
【００４７】
１…携帯電話（電子機器）
２…電子機器のカバーロック機構
１０…筐体
３０…リアカバー（カバー）
４０…サイドカバー（カバー）
５０…リア凹部（被係合部）
６０…サイド凹部（被係合部）
７０…ロック部材
８０…リア凸部（係合部）
９０…サイド凸部（係合部）
９９…操作部
【図１】
2013219486.tif 000003
【図２】
2013219486.tif 000004
【図３】
2013219486.tif 000005
【図４】
2013219486.tif 000006
【図５】
2013219486.tif 000007
【図６】
2013219486.tif 000008